(57)【特許請求の範囲】
【請求項１】
受信機から導出された主回線に感知器と複数の中継器とが接続され、上記中継器には分岐回線を介して更に感知器を接続して構成され、上記受信機からの主回線を通じた電源供給により上記主回線上の感知器を作動させる一方、別電源からの電源線を通じた電源供給により、上記中継器、その中継器に接続された感知器を動作させる自動火災報知システムにおいて、
各々の中継器は、上記主回線の電圧が低下し、かつ、これら各々の中継器から導出される分岐回線の電圧が低下していないときには、上記別電源からの電源を遮断する切換手段と、
各々の中継器より導出された分岐回線上の感知器が作動したことによる、上記分岐回線の電圧低下を感知したときには、上記主回線を閉結させて、主回線の電圧を低下させる接点とを備えた構成とした自動火災報知システム。
【請求項２】
請求項１において、
上記中継器の切換手段は、切換スイッチをオン、オフさせることによって、上記別電源からの電源を遮断することを特徴とする自動火災報知システム。
【請求項３】
請求項１または請求項２において、
上記主回線に接続された感知器は、作動時には、内蔵された接点を閉じて、上記主回線の電圧低下をさせることを特徴とする自動火災報知システム。
【発明の詳細な説明】
【０００１】
【発明の属する技術分野】
本発明は、受信機から導出した主回線と、その主回線上の中継器から導出した分岐回線とを備え、主回線の感知器と、中継器、分岐回線上の感知器とをそれぞれ別個の電源で作動させる自動火災報知システムの改良に関する。
【０００２】
【従来の技術】
従来より、集合住宅などの大規模な建物では、自動火災報知システムが使用されている。このようなシステムとしては、例えば、図３に示すようなものがある。
【０００３】
このものでは、受信機１００から導出された主回線Ｌ１に、感知器Ｓ１，Ｓ２と中継器２００（＃１〜＃３）とが接続され、中継器２００（＃１〜＃３）には分岐回線Ｌ３を介して更に感知器Ｓ’１〜Ｓ’３を接続している。
【０００４】
受信機１００からは、主回線Ｌ１に対して電源供給されており、この電源により、主回線Ｌ１の感知器Ｓ１，Ｓ２が動作する。また、別電源３００からは、電源線Ｌ２に対して電源供給されており、この電源により、中継器２００、中継器２００上の感知器Ｓ’１〜Ｓ’３が動作する。
【０００５】
このような構成によれば、主回線Ｌ１上の感知器Ｓ１，Ｓ２が火災などを感知したときには、内蔵される接点を閉じるため、主回線Ｌ１の電圧が低下する。これを受信機１００が受けて所定の処理をする。
【０００６】
また、分岐回線Ｌ３上の感知器Ｓ’１〜Ｓ’３が火災などを感知したときには、内蔵される接点を閉じ、分岐回線Ｌ３の電圧が低下する。すると、その分岐回線Ｌ３の導出された中継器２００が電圧低下を受けて、内蔵される接点を閉じるため、主回線Ｌ１の電圧が低下する。これを受信機１００が受けて所定の処理をする。
【０００７】
【発明が解決しようとする課題】
ところで、上記した従来の自動火災報知システムでは、主回線上の感知器の１つが動作した場合、その接点を閉じて主回線を閉結するため、主回線上の他の感知器は動作できない。
【０００８】
ところが、中継器や分岐回線上の感知器は、別電源からの電源によって動作しているため、主回線が閉結していても動作可能であり、そのため、分岐回線上の感知器が作動するたびに、対応する中継器の接点が閉じられるため、主回線上の電流値が増加して、その結果、消費電流の増加につながってしまい、最悪システムダウンにつながるおそれがあった。
【０００９】
本発明は、上記事情を考慮してなされたものであり、感知器が作動して主回線の電圧が低下したときには、中継器に対する別電源の供給を遮断することのできる自動火災報知システムを提供することを目的としている。
【００１０】
【課題を解決するための手段】
上記目的を達成するために、本発明の請求項１に記載の自動火災報知システムでは、各々の中継器は、主回線の電圧が低下し、かつ、これら各々の中継器から導出される分岐回線の電圧が低下していないときには、別電源からの電源を遮断する切換手段と、各々の中継器より導出された分岐回線上の感知器が作動したことによる、分岐回線の電圧低下を感知したときには、主回線を閉結させて、主回線の電圧を低下させる接点とを備えた構成とした。
【００１１】
請求項２に記載の自動火災報知システムでは、中継器の切換手段は、切換スイッチをオン、オフさせることによって、上記別電源からの電源を遮断することを特徴とする。
【００１２】
請求項３に記載の自動火災報知システムでは、主回線に接続された感知器は、作動時には、内蔵された接点を閉じて、主回線の電圧低下をさせることを特徴とする。
【００１３】
【発明の実施の形態】
以下に、本発明の実施の形態について、図面とともに説明する。図１は、本発明の自動火災報知システムの要部構成の一例を示す図である。
【００１４】
このものでは、受信機１から導出された主回線Ｌ１に、感知器Ｓ１，Ｓ２と中継器２（＃１，＃２）とが接続され、中継器２（＃１，＃２）には分岐回線Ｌ３を介して更に感知器Ｓ’１，Ｓ’２を接続している。
【００１５】
受信機１からは、主回線Ｌ１に対して電源供給されており、この電源により、主回線Ｌ１の感知器Ｓ１，Ｓ２が動作する。また、別電源３からは、電源線Ｌ２に対して電源供給されており、この電源により、中継器２、中継器２上の感知器Ｓ’１，Ｓ’２が動作する。
【００１６】
中継器２は、分岐回線Ｌ３の電圧低下を感知する火災検知回路２０と、別電源３からの電源を受け、中継器２および感知器Ｓ’１，Ｓ’２が動作するための電源回路２１と、切換回路２２と、接点２３と、切換スイッチ２４とを備える。
【００１７】
切換回路２２と切換スイッチ２４は、本発明の切換手段を構成しており、図２に示すような処理をする。図２は、切換手段の動作について説明するための図である。
切換手段は、図示するように、分岐回線Ｌ３の電圧低下がなく、かつ、主回線Ｌ１の電圧低下があったときには、別電源の供給を遮断するように制御する。また、両回線Ｌ１，Ｌ３の電圧低下がない場合には、別電源の供給を維持するように制御する。更に、両回線Ｌ１，Ｌ３の電圧低下があった場合にも別電源の供給を維持するように制御する。
【００１８】
すなわち、主回線Ｌ１上の感知器Ｓ１，Ｓ２が火災などを感知したときには、内蔵される接点を閉じるため、主回線Ｌ１の電圧が低下する。このとき、各中継器２側では、主回線Ｌ１の電圧低下はあるが、分岐回線Ｌ３の電圧低下はない、図２におけるパターン１に相当する状態となるので、切換回路２２を作動させ、切換スイッチ２４を開いて、別電源３からの電源回路２１への電源供給を遮断する。
【００１９】
また、分岐回線Ｌ３上の感知器Ｓ’１，Ｓ’２が火災などを感知したときには、内蔵される接点を閉じ、分岐回線Ｌ３の電圧が低下する。すると、その分岐回線Ｌ３の導出された中継器２が電圧低下を受けて、内蔵される接点２３を閉じるため、主回線Ｌ１の電圧が低下する。この場合、その分岐回線Ｌ３の導出された中継器２側では、主回線Ｌ１、分岐回線Ｌ３の双方において電圧が低下している、図２におけるパターン３に相当する状態となるので、切換スイッチ２４を閉じた状態で別電源３からの電源回路２１への電源供給を維持する。
【００２０】
一方、その分岐回線Ｌ３の導出された中継器２以外の他の中継器２側では、主回線Ｌ１の電圧低下はあるが、分岐回線Ｌ３の電圧低下はない、図２におけるパターン１に相当する状態となっているので、切換回路２２を作動して、切換スイッチ２４を開き、別電源３からの電源回路２１への電源供給を遮断する。
【００２１】
このような構成の本発明によれば、主回線Ｌ１上の感知器Ｓ１、Ｓ２のみが作動したときには、分岐回線Ｌ３上の感知器Ｓ’１，Ｓ’２は中継器２を通じた別電源３の供給を受けないので作動することがなく、主回線Ｌ１上の電流増加を抑制できる。
また、主回線Ｌ１上の感知器Ｓ１，Ｓ２ではなく、分岐回線Ｌ３上の感知器Ｓ’１，Ｓ’２のみが作動した場合には、分岐回線Ｌ３上の感知器Ｓ’１，Ｓ’２の接点が閉じることにより、その感知器Ｓ’１，Ｓ’２が接続される分岐回線Ｌ３の電圧が低下するので、作動した感知器Ｓ’１，Ｓ’２が接続される中継器２側では、接点２３を閉じることにより、主回線Ｌ１を短絡させて主回線Ｌ１の電圧を低下させる。
そうすると、作動した感知器Ｓ’１，Ｓ’２が接続される中継器２側では、主回線Ｌ１の電圧が低下、かつ、分岐回線Ｌ３の電圧が低下している、図２のパターン３に相当する状態となるため、その中継器２の切換回路２２は、別電源３との接続を維持して、別電源３からの電源供給を維持する。
一方、作動した感知器Ｓ’１，Ｓ’２が接続される中継器２以外の他の中継器２では、主回線Ｌ１の電圧が低下しているが、その中継器２から導出される分岐回線Ｌ３の電圧は低下していない、図２のパターン１に相当する状態となるため、切換回路２２によって、別電源からの電源供給を遮断する。
これにより、分岐回線Ｌ３上の感知器Ｓ’１，Ｓ’２が作動したときには、作動した感知器Ｓ’１，Ｓ’２が接続される中継器２側は別電源３により作動することができ適正に報知ができるとともに、作動した感知器Ｓ’１，Ｓ’２が接続される中継器２以外の他の中継器２は別電源３が遮断され、他の中継器２側の分岐回線Ｌ３上の感知器Ｓ’１，Ｓ’２は、別電源３の供給を受けないために作動することがなく、主回線Ｌ１上の電流増加を抑制できる。
【００２２】
【発明の効果】
以上の説明からも理解できるように、本発明の請求項１に記載の自動火災報知システムでは、各々の中継器の切換手段は、主回線の電圧が低下し、かつ、分岐回線の電圧が低下していないときには、別電源からの電源を遮断するので、主回線上の感知器が作動して主回線の電圧が低下したときには、これらの中継器に対する別電源の供給を遮断できる。
また、各中継器では、作動した感知器が接続された他の中継器の接点により低下させられた主回線の電圧低下を受けたときにも、主回線の電圧が低下し、かつ、分岐回線の電圧が低下していない状態となり、別電源の供給を遮断するために、作動した感知器が接続された中継器からは適正に報知でき、他の中継器側の感知器へは別電源の供給を遮断させて主回線を流れる電流増加を抑制できる。
更に、各々の中継器の接点は、その中継器より導出された分岐回線上の感知器が作動したことによる、分岐回線の電圧低下を感知したときには、主回線を閉結させて、主回線の電圧を低下させるので、ある中継器上の感知器が作動している間には、接続された感知器が作動していない他の中継器への別電源の供給を遮断させることができ、他の中継器上の感知器作動による、主回線の電流増加を抑制できる。
【００２３】
請求項２に記載の自動火災報知システムでは、切換手段は、切換スイッチをオンオフさせる構成としており、切換手段を簡易かつ安価に構成できる。
【００２４】
請求項３に記載の自動火災報知システムでは、主回線に接続された感知器は、作動時には、内蔵された接点を閉じて、主回線の電圧低下をさせるので、主回線上の感知器が作動したときには、各中継器への別電源の供給を遮断させることができる。
【図面の簡単な説明】
【図１】  本発明の自動火災報知システムの要部構成の一例を示す図である。
【図２】  切換手段の動作について説明するための図である。
【図３】  従来の自動火災報知システムの構成を示す図である。
【符号の説明】
１・・・受信機
２・・・中継器
３・・・別電源
２２・・・切換回路
２３・・・接点
２４・・・切換スイッチ
Ｌ１・・・主回線
Ｌ３・・・分岐回線
Ｓ１，Ｓ２，Ｓ’１，Ｓ’２・・・感知器
【図１】
0003906659.tif 000002
【図２】
0003906659.tif 000003
【図３】
0003906659.tif 000004